【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１のアスペクト比を有するベースレイヤピクチャを復号することと、
前記ベースレイヤピクチャに対応する拡張レイヤピクチャのタイルが、レイヤ間予測を使用して予測され得るかどうかを表すデータを復号することと、ここにおいて、前記タイルが、前記タイルのコード化ツリーブロックラスタ走査において連続的に順序付けられた１つの列及び１つの行内で同時に発生する整数個のコード化ツリーブロックを備え、前記拡張レイヤピクチャが第２のアスペクト比を有し、前記第２のアスペクト比が前記第１のアスペクト比より大きく、前記拡張レイヤピクチャの前記タイルが前記ベースレイヤピクチャに対応する前記拡張レイヤピクチャの部分の外側にあるとき、前記タイルがレイヤ間予測を使用して予測され得るかどうかを表す前記データを復号することが、前記タイルがレイヤ間予測を使用して予測され得ないことを示すデータを復号することを備える、
前記データが、前記タイルがレイヤ間予測を使用して予測され得ることを示すときだけ、レイヤ間予測を使用して前記タイルのデータを予測することと、
前記拡張レイヤピクチャを前記ベースレイヤピクチャと並列に復号することと
を備える、方法。
【請求項２】
ビデオデータを符号化する方法であって、
第１のアスペクト比を備えるベースレイヤピクチャを符号化することと、
前記ベースレイヤピクチャに対応する拡張レイヤピクチャのタイルがレイヤ間予測を使用して予測され得るかどうかを表すデータを符号化することと、ここにおいて、前記タイルが、前記タイルのコード化ツリーブロックラスタ走査において連続的に順序付けられた１つの列及び１つの行内で同時に発生する整数個のコード化ツリーブロックを備え、前記拡張レイヤピクチャが第２のアスペクト比を有し、前記第２のアスペクト比が前記第１のアスペクト比より大きく、前記拡張レイヤピクチャの前記タイルが前記ベースレイヤピクチャに対応する前記拡張レイヤピクチャの部分の外側にあるとき、前記タイルがレイヤ間予測を使用して予測され得るかどうかを表す前記データを符号化することが、前記タイルがレイヤ間予測を使用して予測され得ないことを示すデータを符号化することを備える、
前記データが、前記タイルがレイヤ間予測を使用して予測され得ることを示すときだけ、レイヤ間予測を使用して前記タイルのデータを予測することと、
前記拡張レイヤピクチャを前記ベースレイヤピクチャと並列に符号化することと
を備える、方法。
【請求項３】
前記拡張レイヤピクチャの前記タイルが、前記ベースレイヤピクチャに対応する前記拡張レイヤピクチャの前記部分の外側にあるとき、前記拡張レイヤピクチャのタイルが前記ベースレイヤピクチャのタイルと整列されていることを示すデータを復号する、又は符号化することをさらに備える、請求項１又は２に記載の方法。
【請求項４】
前記タイルがレイヤ間予測を使用して予測され得るかどうかを表す前記データを復号する、又は符号化することが、ピクチャパラメータセット（ＰＰＳ）を規定するデータと、テクスチャまたはシンタックスのレイヤ間予測が前記拡張レイヤピクチャのタイルに対して使用され得るかどうかを示すデータとを復号することを備える、請求項１又は２に記載の方法。
【請求項５】
前記ＰＰＳを規定する前記データが、ｓｅｉ＿ｐｉｃ＿ｐａｒａｍｅｔｅｒ＿ｓｅｔ＿ｉｄシンタックス要素を備える、請求項４に記載の方法。
【請求項６】
テクスチャまたはシンタックスのレイヤ間予測が使用され得るかどうかを示す前記データが、前記タイルに対応するｎｏｎ＿ｉｎｔｅｒｌａｙｅｒ＿ｐｒｅｄ＿ｆｌａｇを備える、請求項１又は２に記載の方法。
【請求項７】
前記タイルがレイヤ間予測を使用して予測され得るかどうかを表す前記データを復号することが、ｔｉｌｅ＿ｉｎｔｅｒｌａｙｅｒ＿ｐｒｅｄ＿ｉｎｆｏ ＳＥＩメッセージを復号することを備える、請求項１又は２に記載の方法。
【請求項８】
ビデオデータを復号するための装置であって、
第１のアスペクト比を有するベースレイヤピクチャを復号するための手段と、
拡張レイヤピクチャのタイルが、レイヤ間予測を使用して予測され得るかどうかを表すデータを復号するための手段と、ここにおいて、前記タイルが、前記タイルのコード化ツリーブロックラスタ走査において連続的に順序付けられた１つの列及び１つの行内で同時に発生する整数個のコード化ツリーブロックを備え前記拡張レイヤピクチャが第２のアスペクト比を有し、前記第２のアスペクト比が前記第１のアスペクト比より大きく、前記タイルがレイヤ間予測を使用して予測され得るかどうかを表す前記データを復号するための前記手段が、前記拡張レイヤピクチャの前記タイルが前記ベースレイヤピクチャに対応する前記拡張レイヤピクチャの部分の外側にあるとき、前記タイルがレイヤ間予測を使用して予測され得ないことを示すデータを復号するための手段を備える、
前記データが、前記タイルがレイヤ間予測を使用して予測され得ることを示すときだけ、レイヤ間予測を使用して前記タイルのデータを予測するための手段と、
前記拡張レイヤピクチャを前記ベースレイヤピクチャと並列に復号するための手段とを備える、装置。
【請求項９】
ビデオデータを符号化するための装置であって、
第１のアスペクト比を有するベースレイヤピクチャを符号化するための手段と、
拡張レイヤピクチャのタイルが、レイヤ間予測を使用して予測され得るかどうかを表すデータを符号化するための手段と、ここにおいて、前記タイルが、前記タイルのコード化ツリーブロックラスタ走査において連続的に順序付けられた１つの列及び１つの行内で同時に発生する整数個のコード化ツリーブロックを備え、ここにおいて、前記拡張レイヤピクチャが第２のアスペクト比を有し、前記第２のアスペクト比が前記第１のアスペクト比より大きく、ここにおいて、前記タイルがレイヤ間予測を使用して予測され得るかどうかを表す前記データを符号化するための前記手段が、前記拡張レイヤピクチャの前記タイルが前記ベースレイヤピクチャに対応する前記拡張レイヤピクチャの部分の外側にあるとき、前記タイルがレイヤ間予測を使用して予測され得ないことを示すデータを符号化するための手段を備える、
前記データが、前記タイルがレイヤ間予測を使用して予測され得ることを示すときだけ、レイヤ間予測を使用して前記タイルのデータを予測するための手段と、
前記拡張レイヤピクチャを前記ベースレイヤピクチャと並列に符号化するための手段とを備える、装置。
【請求項１０】
前記拡張レイヤピクチャの前記タイルが、前記ベースレイヤピクチャに対応する前記拡張レイヤピクチャの前記部分の外側にあるとき、前記拡張レイヤピクチャのタイルが前記ベースレイヤピクチャのタイルと整列されていることを示すデータを復号する、又は符号化するための手段をさらに備える、請求項８又は９に記載の装置。
【請求項１１】
前記タイルがレイヤ間予測を使用して予測され得るかどうかを表す前記データを復号する、又は符号化するための前記手段が、ピクチャパラメータセット（ＰＰＳ）を規定するデータと、テクスチャまたはシンタックスのレイヤ間予測が前記拡張レイヤピクチャのタイルに対して使用され得るかどうかを示すデータとをコード化するための手段を備える、請求項８又は９に記載の装置。
【請求項１２】
前記ＰＰＳを規定する前記データが、ｓｅｉ＿ｐｉｃ＿ｐａｒａｍｅｔｅｒ＿ｓｅｔ＿ｉｄシンタックス要素を備える、請求項１１に記載の装置。
【請求項１３】
テクスチャまたはシンタックスのレイヤ間予測が使用され得るかどうかを示す前記データが、前記タイルに対応するｎｏｎ＿ｉｎｔｅｒｌａｙｅｒ＿ｐｒｅｄ＿ｆｌａｇを備える、請求項８又は９に記載の装置。
【請求項１４】
前記タイルがレイヤ間予測を使用して予測され得るかどうかを表す前記データを復号する、又は符号化するための前記手段が、ｔｉｌｅ＿ｉｎｔｅｒｌａｙｅｒ＿ｐｒｅｄ＿ｉｎｆｏ ＳＥＩメッセージを復号する、又は符号化するための手段を備える、請求項８又は９に記載の装置。
【請求項１５】
実行されたとき、プロセッサに、請求項１乃至７のうちのいずれか１項に記載の方法を実行させる命令を記憶したコンピュータ可読記憶媒体。